(57)【要約】      （修正有）【課題】水で洗濯可能で、防水レベルがＩＰ６７以上の高い防水性を有し、防水接着剤が装置内に設けられるため、外観がきれいで、後続の加工、製造プロセスを削減し、生産効率を向上させるシフト制御装置を提供する。【解決手段】シフト制御装置は、ＵＳＢオス端子４ａ、シフトスイッチパネル、シリコンボタン２、接続線４ｂ、一体成形のプラスチック本体３、カバー部品１、５を備え、シフトスイッチパネルはＵＳＢオス端子、接続線とはんだ付けされ、型内射出成形してプラスチック本体を形成し、その前後表面に、接着剤注入用防水溝部、シフトスイッチパネルにおけるタッチスイッチ、ＬＥＤインジケーター、及びシリコンボタンのクリアランス処理用溝部が設けられ、シリコンボタンが防水接着剤でクリアランス処理用溝部に接着され、カバー部品がプラスチック本体の上下表面に取り付けられる。【選択図】図１
0003222518.tif 000002
【実用新案登録請求の範囲】
【請求項１】
シフトスイッチを有するシフトスイッチパネルを備えて、衣類の内層に設ける発熱体に接続され、前記シフトスイッチをオンにすると給電された電気エネルギーが熱エネルギーに変換され、前記発熱体を発熱させることに用いられるシフト制御装置において、
ボタン、プラスチック本体、ＵＳＢ端子、シフトスイッチパネル、接続線、及びカバー部品を備え、
前記シフトスイッチパネルが前記ＵＳＢ端子及び接続線とはんだ付けされ、プラスチック本体と一体化されていて、
前記プラスチック本体の前後方向にそれぞれキャビティが設けられ、
当該キャビティは、接着剤注入用の防水溝部、及び、前記シフトスイッチパネルに設けられるタッチスイッチ及びＬＥＤインジケーター、並びに前記ボタンをクリアランス処理するクリアランス処理用溝部を備えることを特徴とするシフト制御装置。
【請求項２】
前記防水溝部はシフトスイッチパネルとＵＳＢ端子との接続箇所の前後に亘る領域に設けられ、前記シフトスイッチパネルの表面及び裏面まで上下方向に延びて配置され、かつ、シフトスイッチパネルが前記防水溝部を横方向に貫通し、該防水溝部に防水接着剤を注入するものであることを特徴とする請求項１に記載のシフト制御装置。
【請求項３】
前記クリアランス処理用溝部は、前記シフトスイッチパネルに設けられるタッチスイッチ及びＬＥＤインジケーター、並びに前記ボタンを、クリアランス処理して収容することを特徴とする請求項１又は２に記載のシフト制御装置。
【請求項４】
前記シフトスイッチパネルに、マイクロコントローラ制御ユニット、前記タッチスイッチ、及びＬＥＤインジケーターが設けられることを特徴とする請求項１〜３いずれかに記載のシフト制御装置。
【請求項５】
前記ボタンは、防水接着剤で前記プラスチック本体のクリアランス処理用溝部に接着される構造を備えることを特徴とする請求項１〜４いずれかに記載のシフト制御装置。
【請求項６】
前記上カバー部品及び下カバー部品はプラスチック本体の上下表面に取り付けられる構造を備えることを特徴とする請求項１〜５いずれかに記載のシフト制御装置。
【請求項７】
前記ＵＳＢ端子と接続線とが前記シフトスイッチパネルに、はんだ付けされた一体構造を備え、前記プラスチック本体は、熱可塑性エラストマー、ポリエチレン、熱可塑性ポリウレタン、ポリウレタン、又は、ポリ塩化ビニルの１種又は複数種の組み合わせの材料であることを特徴とする請求項１〜６いずれかに記載のシフト制御装置。
【請求項８】
前記ＵＳＢ端子の方向について、前記上カバー部品及び下カバー部品の所定方向に対して、ストレート型、左向き型、右向き型を含むことを特徴とする請求項１〜７いずれかに記載のシフト制御装置。
【請求項９】
前記上カバー部品及び下カバー部品は、プラスチック、金属、又は、金属とプラスチックの複合材料からなることを特徴とする請求項１〜８いずれかに記載のシフト制御装置。
【請求項１０】
前記シフトスイッチパネルには近距離無線通信規格のチップが埋め込まれ、該近距離無線通信規格により該チップが携帯端末に接続された場合、前記携帯端末のアプリケーションは、シフト操作による温度制御を行うように前記シフトスイッチパネルに命令を伝送することを特徴とする請求項１〜９いずれかに記載のシフト制御装置。
【考案の詳細な説明】
【技術分野】
【０００１】
本考案はスマート加熱服、空調服及び他のスマート衣服のアクセサリー分野に関し、特に高い防水性を有するシフト制御装置に関する。
【背景技術】
【０００２】
スマート加熱服は一般的な衣類の内層に発熱体を取り付け、線材とシフトスイッチを介して電池に接続され、シフトスイッチをオンにすると電気エネルギーが熱エネルギーに変換され、発熱体が発熱する衣類を指す。このような衣類を着用すると暖かく感じ、シフトスイッチでシフト操作による温度制御を行うことができる。現在、市場に出たＵＳＢオス端子を含むシフト制御装置は、第１種類はＵＳＢオス端子と防水シフトスイッチとが分離され、一体型ではない。第２種類はＵＳＢオス端子、シフトスイッチパネル、接続線が一体的に型内射出成形され、シリコンボタンが防水接着剤で固着され、一体的なシフトスイッチを形成する。第１種類は分散された部品がより多く、その後の加工費用が高い。第２種類はＵＳＢオス端子及びシフトスイッチパネル、接続線が型内射出成形された後、ＵＳＢオス端子及びシフトスイッチパネルがプラスチックと溶融することができず、水に入れると、ＵＳＢオス端子、スイッチ回路基板とプラスチックとの溶接間隙に、水が浸透する。その結果、回路基板上に水が曇り、回路基板上の機能素子のはんだ接合部が酸化され、短絡を引き起こして、スイッチを損傷する。したがって、スマート加熱衣服は、防水にのみ用いられるが、水で洗うことができない。
【考案の概要】
【考案が解決しようとする課題】
【０００３】
本考案は上記従来技術における第２種類の制御装置の防水性能の欠如を考慮して、水で洗濯可能で、高い防水性を有し、防水レベルがIP67以上に達し、防水接着剤が装置内に設けられるため、外観がきれいであり、またＵＳＢオス端子、シフトスイッチパネル、接続線が型内射出成形の一体成形方法を採用して、後続の加工、製造プロセスを削減し、生産効率を向上させることにある。
【課題を解決するための手段】
【０００４】
上記の技術的欠陥を解決するために、本考案は以下の技術的手段を採用する。
【０００５】
本考案のシフト制御装置は、シフトスイッチを有するシフトスイッチパネルを備えて、衣類の内層に設ける発熱体に接続され、前記シフトスイッチをオンにすると給電された電気エネルギーが熱エネルギーに変換され、前記発熱体を発熱させることに用いられ、ボタン、プラスチック本体、ＵＳＢ端子、シフトスイッチパネル、接続線、及びカバー部品を備え、前記シフトスイッチパネルが前記ＵＳＢ端子及び接続線とはんだ付けされていて、型内射出一体成形のプラスチック本体を設け、前記プラスチック本体の前後にそれぞれキャビティが設けられ、前記キャビティは、接着剤注入用の防水溝部、及び、前記シフトスイッチパネルに設けられるタッチスイッチ及びＬＥＤインジケーター、並びに前記ボタンをクリアランス処理するクリアランス処理用溝部を備えることを特徴とする。
【０００６】
前記防水溝部はシフトスイッチパネルとＵＳＢ端子との接続箇所の前後に亘る領域に設けて前記シフトスイッチパネルの表面及び裏面まで上下方向に延びて配置され、かつ、シフトスイッチパネルが横方向に貫通し、防水接着剤を注入するために用いられる。
【０００７】
前記クリアランス処理用溝部は前記シフトスイッチパネルに設けられるタッチスイッチ及びＬＥＤインジケーター並びに前記ボタンをクリアランス処理して収容する。クリアランス処理は、シフト制御装置の製造上、タッチスイッチ及びＬＥＤインジケーター並びに前記ボタンの間には、ある程度の距離が必要であり、この距離を担保するための処理である。
【０００８】
前記シフトスイッチパネルにマイクロコントローラ制御ユニット、前記タッチスイッチ、及びＬＥＤインジケーターが設けられる。
【０００９】
前記接続線の他端は、発熱体、小型ファンなどの他の負荷に接続することができる。
【００１０】
前記ボタンは防水接着剤で前記プラスチック本体のクリアランス処理用溝部に接着される構造を備える。
【００１１】
ボタンには、シリコンボタンが例示されるが、材料は、適宜、他の材料も選定できる。
【００１２】
前記上カバー部品及び下カバー部品はプラスチック本体の上下表面に取り付けられる構造を備える。
【００１３】
前記カバー部品は一体成形のプラスチック本体の上下表面に取り付けられる。
【００１４】
前記プラスチック本体は、ＵＳＢ端子とシフトスイッチパネルがはんだ付けされ、型内射出成形により一体成形される構造を備えている。
【００１５】
プラスチック本体の型内射出成形に用いられるプラスチックの種類は、TPE（熱可塑性エラストマー：Thermoplastic
Elastomers）、PE（ポリエチレン：polyethylene）、TPU（熱可塑性ポリウレタン：Thermoplastic Polyurethane）、PU（ポリウレタン：Polyurethane）、PVC（ポリ塩化ビニル：polyvinyl chloride）の１種又は複数種の組み合わせ材料である。
【００１６】
前記ＵＳＢ端子の方向について、前記上カバー部品及び下カバー部品の所定方向に対して、ストレート型、左向き型、右向き型を含む。
【００１７】
前記上カバー部品及び下カバー部品は、プラスチック、金属、又は、金属とプラスチックの複合材料からなる。
【００１８】
前記シフトスイッチパネルにはブルートゥース（登録商標）規格のチップが埋め込まれ、該ブルートゥース（登録商標）規格により該チップが携帯端末に接続された場合、前記携帯端末のアプリケーションは、シフト操作による温度制御を行うように前記シフトスイッチパネルに命令を伝送する。
【考案の効果】
【００１９】
本考案によるシフト制御装置の効果は、洗濯可能で、高い防水性を有し、防水レベルがIP67以上に達し、防水接着剤が装置内に設けられて、外観に影響を与えない。
【００２０】
ＵＳＢ端子、シフトスイッチパネル、及び接続線が型内射出成形の一体成形方法を採用でき、生産効率を向上させることができる。
【図面の簡単な説明】
【００２１】
【図１】本考案実施形態１のシフト制御装置の斜視図である。
【図２】本考案実施形態１のシフト制御装置の分解斜視図である。
【図３】本考案実施形態２のシフト制御装置の分解斜視図である。
【図４】本考案実施形態３のシフト制御装置の分解斜視図である。
【図５】本考案実施形態のシフト制御装置の製造工程のステップ１を示す平面図である。
【図６】同じくステップ２を示す平面図である。
【図７】同じくステップ３を示す平面図である。
【図８】同じくステップ４を示す分解斜視図である。
【図９】同じくステップ５を示す斜視図である。
【考案を実施するための形態】
【００２２】
以下、本考案の実施形態における図面を参照して、本考案の実施形態における技術的手段を明確かつ完全に説明するが、説明された実施形態は本考案の実施形態の一部にすぎず、全ての実施形態ではないと明らかである。本考案の実施形態に基づいて、創造的な努力なしに当業者によって得られる他の全ての実施形態は本考案の保護範囲内にある。
【００２３】
図１、図２を参照して、本発明実施形態１の高い防水性を有するシフト制御装置を説明する。シフト制御装置は、上部カバー部品１、シリコンボタン２、プラスチック本体３、PCBアセンブリ４、及び、下部カバー部品５を備える。PCBは、Printed Circuit Boardの略語である。以下、各要素を詳細に説明する。上下、前後、左右の方向はシフト制御装置に対して図１に示される矢印に示す通りである。
【００２４】
上部カバー部品１及び下部カバー部品５は、PCBアセンブリ４と一体成形されるプラスチック本体３の上下に取り付けられ、、PCBアセンブリ４とプラスチック本体３を被覆するために、嵌合して一体化される構造である。
【００２５】
シリコンボタン２は、スマート衣服を加熱したいときに押し下げし、スマート衣服（図示略）を加熱するものである。加熱を停止するときには、シリコンボタン２を押し下げすると、スマート衣服の加熱は停止される。携帯端末等から発信される無線によって、発熱体の温度を多段階又は無段階に正確に制御することができる。
【００２６】
プラスチック本体３は、PCBアセンブリ４と型内射出成形された部材であり、プラスチック一体成形品である。ＵＳＢオス端子４ａ、接続線４ｂ、シフトスイッチパネル４ｃが型内射出成形される一体成形方法を採用する。プラスチック本体３の前後方向の位置にそれぞれキャビティ３ａ、３ｂが設けられている。該キャビティ３ａ、３ｂは、接着剤注入用の防水溝部３ａ、及び、シフトスイッチパネル４ｃに設けたタッチスイッチ４ｄ、ＬＥＤインジケーター４ｅ及びシリコンボタン２をクリアランス処理するクリアランス処理用溝部３ｂが設けられる。ＬＥＤはlight emitting diodeの略語である。クリアランス処理用溝部３ｂはクリアランス処理するが接着剤は注入されないことが例示される。プラスチック本体３の後端から接続線４ｂが延び出している。接続線４ｂの他端はスマート衣服に内蔵される発熱体に接続される。
【００２７】
シリコンボタン２は防水接着剤でプラスチック本体３のクリアランス処理用溝部３ｂに接着される。
【００２８】
PCBアセンブリ４は、MCU（マイクロコントローラ）制御ユニットを備え、図５に示す通り、ＵＳＢオス端子４ａ、接続線４ｂ、及び、シフトスイッチパネル４ｃを備えている。MCUはMicro Controller Unitの略語である。ＵＳＢオス端子４ａ及び接続線４ｂが、前方及び後方に、それぞれ、シフトスイッチパネル４ｃに、図５に示す通り、はんだ付けされている。シフトスイッチパネル４ｃは、タッチスイッチ４ｄ、ＬＥＤインジケーター４ｅを備えている。
【００２９】
シフトスイッチパネル４ｃは多段式スイッチ構造を備える。本実施形態１はＵＳＢオス端子４ａが接続線４ｂの方向に対して直線状に配置されるストレート型制御線の構造である。
【００３０】
防水溝部３ａの幅が１．５ｍｍであり、図６に示す通り、溝３ａがＵＳＢオス端子４ａとシフトスイッチパネル４ｃとの接続箇所の前後に亘る領域に設けられている。防水溝部３ａは上下方向の細長い溝であり、シフトスイッチパネル４ｃの表面及び裏面まで延びている。防水溝部３ａをシフトスイッチパネル４ｃに対して上下方向に配置する。シフトスイッチパネル４ｃは防水溝部３ａに対して横方向に貫通する。防水溝部３ａ内に防水接着剤を注入した後、ＵＳＢオス端子４ａと上下カバー部品１，５との間の隙間、シフトスイッチパネル４ｃとプラスチック本体３との溶着面、シリコンボタン２とプラスチック本体３との接合箇所を通して、シフトスイッチパネル４ｃの機能デバイスに水が浸透することを防止する。これにより、シフト制御装置の高い防水性が達成される。
【００３１】
クリアランス処理用溝部３ｂは、タッチスイッチ４ｄ、ＬＥＤインジケーター４ｅ及びシリコンボタン２をクリアランス処理して収容する。タッチスイッチ４ｄ、ＬＥＤインジケーター４ｅ及びシリコンボタン２の取付位置を適切にし、クリアランスを確保するためである。
【００３２】
ＵＳＢオス端子４ａとシフト制御装置の向きについては３類型がある。図１の実施形態１のＵＳＢオス端子４ａと接続線４ｂが直線となるストレート型、図２の実施形態２のＵＳＢオス端子４ａと接続線４ｂが直交し、かつ、ＵＳＢオス端子４ａが上下カバー部品１，５の右側に突出する右向き型、図３の実施形態３のＵＳＢオス端子４ａと接続線４ｂが直交し、かつ、ＵＳＢオス端子４ａが上下カバー部品１，５の左側に突出する左向き型が例示される。
【００３３】
本考案の実施形態１のシフト制御装置の製造方法を説明する。
【００３４】
ステップ１（はんだ付け処理）：ＵＳＢオス端子４ａ、接続線４ｂ及びシフトスイッチパネル４ｃが、前方及び後方に、それぞれ、シフトスイッチパネル４ｃに対して、図５に示す通り、はんだ付けされ、PCBアセンブリ４を作る。
【００３５】
ステップ２（型内射出成形）：PCBアセンブリ４を型内射出成形して、PCBアセンブリ４と一体成形のプラスチック本体３を形成する。プラスチック本体３で接続線４ｂの一端からシフトスイッチパネル４ｃ及びＵＳＢオス端子４ａを包む。プラスチック本体３はタッチスイッチ４ｄ、ＬＥＤインジケーター４ｅを除いて、シフトスイッチパネル４ｃにおける機能デバイスを全て包むことができる。
【００３６】
一体成形のプラスチック本体３の材料が接続線４ｂの外装材と互いに溶融可能な材料を選択する必要がある。例えば、プラスチック本体３がTPE材料を使用し、接続線４ｂがTPE（熱可塑性エラストマー）の線材を選択することが例示される。このようにして、水で洗うとき、接続線４ｂの一端からシフトスイッチパネル４ｃまで水が浸透することができず、高い防水性が達成される。TPEはThermoplastic
Elastomersの略語である。
【００３７】
ステップ３（防水接着剤処理及びボタン接着処理）：図６に示す防水溝部３ａ内に防水接着剤を注入する。キャビティ３ｂはクリアランス処理して接着剤が注入されていない。ＵＳＢオス端子４ａと上下カバー部品１，５との間の隙間、及び、シフトスイッチパネル４ｃと一体成形のプラスチック本体３の溶着面を通してシフトスイッチパネル４ｃの機能デバイスに水が浸透することを防止する。これにより、高い防水性が達成される。
【００３８】
図７に示す通り、シリコンボタン２が防水接着剤でクリアランス処理用溝部３ｂに接着される。シリコンボタン２と一体成形のプラスチック本体３との接着箇所から、シフトスイッチパネル４ｃの機能デバイスに水が浸透することを防止する。これにより、高い防水性が達成される。
【００３９】
ステップ４（上下カバー部品取り付け処理）：図８に示す通り、上下カバー部品１，５がプラスチック本体３を上下方向から挟むような位置から、上下カバー部品１，５を相互に嵌合させ、上下カバー部品１，５をプラスチック本体３に取り付ける。ステップ５に完成品を示す。
【００４０】
シフト制御装置の動作原理を説明する。シフトスイッチパネル４ｃにはブルートゥース（登録商標）規格（デジタル機器用の近距離無線通信規格の1つ）のチップが内蔵され、接続線４ｂの他端がNTCサンプリング抵抗器及び発熱体に接続される。NTCはNegative Temperature
Coefficientの略語である。シフトスイッチパネル４ｃがブルートゥース（登録商標）規格のチップによって携帯端末と無線接続され、携帯端末がＡＰＰ（アプリケーション）を介してシフトスイッチパネル４ｃに命令を伝送し、各段の温度を制御できる。シフトスイッチパネル４ｃはNTC抵抗器を介してフィードバック温度をサンプリングし、正確な温度制御を実現する。
【００４１】
実施形態１〜３のシフト制御装置によれば、洗濯可能で、高い防水性を有し、防水レベルがIP67以上に達し、防水接着剤が装置内に設けられて、外観に影響を与えない。
【００４２】
ＵＳＢオス端子４ａ、接続線４ｂ、及びシフトスイッチパネル４ｃが型内射出成形の一体成形方法を採用でき、生産効率を向上させることができる。
【００４３】
本考案の実施形態を示し説明したが、当業者であれば、本考案の原理及び精神から逸脱せずに、これらの実施形態に対して様々な変更、修正、置換及び変形を行うことができることが理解される。本考案の範囲は、添付の特許請求の範囲及びそれらの均等物によって定義される。
【符号の説明】
【００４４】
１     上部カバー部品
２     シリコンボタン
３     プラスチック本体
３ａ、３ｂ    キャビティ
３ａ   防水溝部
３ｂ   クリアランス処理用溝部
４     PCBアセンブリ
４ａ   ＵＳＢオス端子
４ｂ   接続線
４ｃ   シフトスイッチパネル
４ｄ   タッチスイッチ
４ｅ   ＬＥＤインジケーター
５           下部カバー部品
【図１】
0003222518.tif 000003
【図２】
0003222518.tif 000004
【図３】
0003222518.tif 000005
【図４】
0003222518.tif 000006
【図５】
0003222518.tif 000007
【図６】
0003222518.tif 000008
【図７】
0003222518.tif 000009
【図８】
0003222518.tif 000010
【図９】
0003222518.tif 000011
【手続補正書】
【提出日】令和1年5月23日(2019.5.23)
【手続補正１】
【補正対象書類名】実用新案登録請求の範囲
【補正対象項目名】請求項６
【補正方法】変更
【補正の内容】
【請求項６】
前記カバー部品は、上カバー部品及び下カバー部品を有し、当該上カバー部品及び下カバー部品は前記プラスチック本体の上下表面に取り付けられる構造を備えることを特徴とする請求項１〜５いずれかに記載のシフト制御装置。
【手続補正２】
【補正対象書類名】実用新案登録請求の範囲
【補正対象項目名】請求項８
【補正方法】変更
【補正の内容】
【請求項８】
前記ＵＳＢ端子の方向について、前記上カバー部品及び下カバー部品の所定方向に対して、ストレート型、左向き型、右向き型を含むことを特徴とする請求項６に記載のシフト制御装置。
【手続補正３】
【補正対象書類名】実用新案登録請求の範囲
【補正対象項目名】請求項９
【補正方法】変更
【補正の内容】
【請求項９】
前記上カバー部品及び下カバー部品は、プラスチック、金属、又は、金属とプラスチックの複合材料からなることを特徴とする請求項６又は８に記載のシフト制御装置。